Podtech/llm-jp-corpus-v4-ja_patent huggingface dataset:
(57)【要約】      （修正有）【課題】複数のＬＥＤを配置したＬＥＤ基板を提供する。【解決手段】高熱伝導性を有する基材の表面に、無機材料からなるフィラを含有する絶縁体を介して回路４が形成され、この回路に沿って直列に配置された複数のＬＥＤ素子５と、このＬＥＤ素子に定電流を供給する定電流素子７とからなり、前記回路は基板の表面にＵ字形状に形成された複数の導体であり、また前記ＬＥＤ素子は複数のＬＥＤチップで構成された半導体部品であり、そして前記定電流素子は前記Ｕ字形状に形成された複数の導体に定電流を供給する。【選択図】図１
0003158947.tif 000002
【実用新案登録請求の範囲】
【請求項１】
ＬＥＤ素子を多数実装したＬＥＤ基板であって、高熱伝導性を有する基材の表面に、無機材料からなるフィラを含有する絶縁体を介して回路が形成され、この回路に沿って直列に配置された複数のＬＥＤ素子と、このＬＥＤ素子に定電流を供給する定電流素子とからなり、前記回路は基板の表面にＵ字形状に形成された複数の導体であり、また前記ＬＥＤ素子は複数のＬＥＤチップで構成された半導体部品であり、そして前記定電流素子は前記Ｕ字形状に形成された複数の導体にそれぞれ定電流を供給することを特徴とするＬＥＤ基板。
【考案の詳細な説明】
【技術分野】
【０００１】
本考案は、ＬＥＤ照明用基板であって、とくに基板の回路電圧を変更することなく照明出力を変更可能とするＬＥＤ基板に関するものである。
【背景技術】
【０００２】
近年、ＬＥＤを使用した各種の照明装置が提案され商品化されている。ＬＥＤは従来の光源の構成と異なり、長寿命であり、消費電力が少ないという特徴がある。
【０００３】
この特徴を利用するＬＥＤを光源とした平面状のランプモジュールが多数提案されている。例えば、多数のＬＥＤを複数の組に分割し、その組毎に定電流回路を設け、各定電流回路の出力電流を揃えることにより、全ＬＥＤの電流を均等化する定電流化ＬＥＤ基板がある（特許文献１参照。）。また、プリント配線基板の表面に直列接続して複数個のＬＥＤを集合配置して、対応電極間を導通配線した一対の接続端子、整流回路、及び定電流回路と、接続端子を介し供給される交流を整流回路で直流に変換し、該直流を定電流回路を経由してＬＥＤに供給しＬＥＤを点灯駆動するＬＥＤランプモジュールもある（特許文献２参照。）。
【先行技術文献】
【特許文献】
【０００４】
【特許文献１】実用新案登録第３１０５３０２号公報
【特許文献２】実用新案登録第３１４２７９２号公報
【考案の概要】
【考案が解決しようとする課題】
【０００５】
しかしながら、上記特許文献１及び２に提案されている技術は、いずれもＬＥＤを直列にして定電流を供給する構成であるものであるが、ＬＥＤを搭載する基板のサイズを考慮して適切な回路を形成させる点や、必要とされる光量を確保する技術に関しては何らの考慮もされていないものであった。
【０００６】
上記の問題点に鑑み本考案者は、複数のＬＥＤチップで構成された半導体部品であるＬＥＤ素子を使用して必要な光量を確保すると共に、基板の表面にＵ字形状に形成された複数の導体に直列に接続することで、基板の回路電圧を変更することなく照明出力を変更可能とするＬＥＤ基板を提供するに至った。
【課題を解決するための手段】
【０００７】
このため、本発明のＬＥＤ基板は、ＬＥＤ素子を多数実装したＬＥＤ基板であって、高熱伝導性を有する基材の表面に、無機材料からなるフィラを含有する絶縁体を介して回路が形成され、この回路に沿って直列に配置された複数のＬＥＤ素子と、このＬＥＤ素子に定電流を供給する定電流素子とからなり、前記回路は基板の表面にＵ字形状に形成された複数の導体であり、また前記ＬＥＤ素子は複数のＬＥＤチップで構成された半導体部品であり、そして前記定電流素子は前記Ｕ字形状に形成された複数の導体に定電流を供給することを特徴とする。
【０００８】
尚、本考案に使用する基材は、アルミなどの熱伝導性が高い金属材料が望ましい。
【考案の効果】
【０００９】
本考案に係るＬＥＤ基板によれば、複数のＬＥＤ素子が直列に接続された回路が、基板上にＵ字形状に複数形成されているため、回路電圧を変えることなく、光出力を変更できるという効果を有する。
【００１０】
また、前記複数のＬＥＤ素子は、複数のＬＥＤチップで構成された半導体部品であり、基板上に実装するＬＥＤ素子の数が少なくても十分な光量を確保でき、また製造コストが安価となる。
【図面の簡単な説明】
【００１１】
【図１】本考案に係るＬＥＤ基板の一実施例を示す平面図である。
【図２】図１の側面図である。
【図３】ＬＥＤ素子の拡大説明図である。
【考案を実施するための形態】
【００１２】
以下、本考案を実施例を示す図面を参照しながら説明するが、本考案が本実施例に限定されないことは言うまでもない。図１は、本考案のＬＥＤ基板の一実施例を示す平面図、図２は図１の側面図、図３はＬＥＤ基板の拡大説明図である。
【実施例】
【００１３】
図１、図２に示すように、本考案のＬＥＤ基板１は、熱伝導性の高いＡｌからなる基板本体２の表面に、アルミナやシリカなどの無機フィラを含有した熱硬化性樹脂がコーテイングされ電気絶縁層３が形成されており、この電気絶縁層３の表面にＣｕ箔からなる導体回路４が形成されている。
【００１４】
導体回路４は後述するＬＥＤ素子５を複数直列に接続すると共に、平面視Ｕ字形状の回路に形成されており、回路の一端にはチップ抵抗６と、定電流素子７が配置されている。そして、外部電源より供給される電流は、コネクタ８を介して定電流素子７によって一定の電流値とされ、各ＬＥＤ素子５に供給される。
【００１５】
本実施例においては、上記の導体回路４を３列に重複する配置とし、それぞれ同数のＬＥＤ素子５は均等に配置されて面実装されており、それぞれの回路は同じ回路電圧とされている。
【００１６】
図３はＬＥＤ素子５の拡大説明図であり、（ａ）は側面図、（ｂ）は平面図、（ｃ）は側面図である。図に示すように、複数のＬＥＤチップ９がＬＥＤ素子５の基材上に夫々取り付けられている。
【００１７】
上記の構成のＬＥＤ基板１は、、複数のＬＥＤ素子が直列に接続された回路が、基板上にＵ字形状に複数形成されているため、例えば、３列の導体回路の１列にＬＥＤ素子を実装をしなくても、回路電圧を変える必要がなく、光出力を変更できる。本実施例のＬＥＤ基板においては３６Ｗから２５Ｗに変更可能となる。
【００１８】
以上、本考案のＬＥＤ基板によれば、ＬＥＤ照明用基板であって、とくに基板の回路電圧を変更することなく照明出力を変更かでき、しかも、複数のＬＥＤチップで構成されたＬＥＤ素子によって、基板上に実装する数が少なくても十分な光量を確保でき、また製造コストが安価となる。
【符号の説明】
【００１９】
１              ＬＥＤ基板
２              基板本体
３              電気絶縁層
４              導体回路
５              ＬＥＤ素子
６              チップ抵抗
７              定電流素子
８              コネクタ
９              ＬＥＤチップ
【図１】
0003158947.tif 000003
【図２】
0003158947.tif 000004
【図３】
0003158947.tif 000005
(57)【要約】      （修正有）【課題】ロープの損耗を押さえて漁業資材コストの低減を計ることができる漁業用沈子を提供する。【解決手段】素材に鋳鉄や鉛以外の金属を採用し、貫通孔部に異種の平滑な素材をライニング装着する。沈子の表面に酸化被膜、又はホーロー被膜を施す。【選択図】図１
0003158941.tif 000002
【実用新案登録請求の範囲】
【請求項１】
鋳鉄製若しくは鉛以外の金属製、又は陶器及び磁器製の沈子に、貫通するロープを傷つけない目的で装着された、ステンレス製若しくはプラスチック製及び樹脂製又はシリコンゴム等の平滑な面を有する材料をライニングすることを特長とした漁業用沈子。
【請求項２】
鋳鉄製若しくは鉛以外の金属製の沈子の表面に酸化被膜やホーロー被膜を施した請求項１記載の漁業用沈子。
【考案の詳細な説明】
【技術分野】
【０００１】
本考案は、漁業用沈子に関する。
【背景技術】
【０００２】
網を使用する漁業や垂下養殖漁業においては「沈子」と呼ばれる鉛製のおもりが用いられている場合が多い。しかし、鉛製は海底との摩擦により摩耗し鉛成分が溶出して環境負荷が生じる。鉛製沈子が普及する以前は鋳鉄製や焼物の沈子が使われていたが、ロープを通す貫通孔を、ロープを傷めないような平滑面に仕上げることが困難であったため、次第に使われなくなった。本考案は漁場の健全性を保つため、鋳鉄製等の安全性が高い金属製沈子の欠点を克服し、再び安全性が高い沈子を普及させ、海域の環境保全に寄与するため考案された。
【先行技術文献】
【特許文献】
【０００３】
【特許文献１】特許公開平１１−８９４７４  養殖用メタル沈子
【特許文献２】実用新案出願平４−６９４９０  漁業用沈子
【考案の概要】
【考案が解決しようとする課題】
【０００４】
従来の鉛製以外の金属製や焼物製沈子には、ロープ貫通孔を突起や筋がない平滑に仕上げられたものが無かった故、高価なロープの損耗が激しく、次第に使われなくなった。
【０００５】
これまで一般的に使われていた鉛製沈子は、網に使われた場合、潮流や潮汐流によって常に海底と摩擦している。このことによって軟質金属である鉛は摩耗して、遂にはロープから脱落してしまう場合が多い。
【０００６】
摩耗し脱落した鉛沈子は、１００年以上に亘り毒素を溶出し続け、それによって水産物の生命をおびやかし、又、その体内に蓄積する。最終的に漁獲物となり、人が食することで害を及ぼすことに繋がる。
【０００７】
漁業種別では、定置網の垣網や刺網等において沈子が使われるが、数十米から数百米の長さのある高価なロープを使用するため、ロープの損耗が漁業資材コストを圧迫してきた。それ故、ロープの寿命が非常に重要な経済的要素であった。
【課題を解決するための手段】
【０００８】
沈子に求められる性能には、網を連結するロープを振動や摩擦によって損傷しないことがあるが、これは沈子の貫通孔を突起がない平滑面に仕上げることが前提となる。しかし、例えば鋳鉄製の場合、その製造工程においておのずと精度に限界があった。本考案ではこの課題を解決する手段として、ロープ貫通孔の全体を平滑に仕上がる他の素材でライニングすることで解決する。例えば、ステンレス薄肉パイプを差し入れ、その両端部を機械的圧力によって押し広げることで、両端部が拡張され脱落しない装着が可能になる。又、ライニング素材としては、硬質プラスチック素材や硬質シリコンゴムも同様に装着することができる。若しくは鋳鉄製沈子の表面の全体、若しくは部分的に再加熱によって酸化被膜を形成しコーティングとする方法、並びにホーロー被膜を形成しライニングとする方法も含まれる。これらの異種材を貫通孔に装着、又は被膜形成することによって鋳鉄とロープが直接的に接触することがなくなり、ロープの損耗を防ぐことができる。
【考案の効果】
【０００９】
鉛製沈子の場合は海底との摩擦ですり減り脱落してしまうことが多いが、本考案の鋳鉄製沈子は表面硬度が高く容易に摩耗しない。更に、高温加熱により表面に酸化被膜を形成させる、若しくはホーロー被膜を形成させると、鉛に比べ数倍の高寿命を得ることができる。  
【００１０】
鉛は海水中において永い年月に亘り毒素を溶出するが、鉄は毒素を出すことはなく、鉄錆は海水中のミネラルとなって海藻やプランクトンを育むことができる。このように環境に優しい素材を選択して使用する本考案は、将来の海域環境保全に繋がる。
【００１１】
漁業種別では、定置網漁の垣網や刺網漁、海面養殖等において沈子が使われるが、一本もので数十米から数百米の長さのある高価なロープを使用する。このためロープの損耗が漁業資材コストを左右する。本考案の方法によれば、ロープの寿命が数倍延びるため、大きな経済効果を得ることができる。
【図面の簡単な説明】
【００１２】
【図１】本考案実施の形態の沈子ライニング態を示す（ａ）現状断面図、（ｂ）ステンレスパイプライニング断面図、（ｃ）シリコンゴム管ライニング断面図、（ｄ）プラスチック樹脂管ライニング断面図である。
【考案を実施するための形態】
【００１３】
以下図面に基づき本考案の実施形態について説明する。
図１に示すように、沈子１は鋳鉄又は鉛以外の金属や陶器、磁器等の焼物から成り、ロープ貫通孔８を有している。又、沈子１が鋳鉄素材で作られている場合は、その全ての表面には酸化被膜処理、若しくはホーロー被膜処理が施されている。
【００１４】
図１の（ａ）は、これまでの課題を表現したもので、貫通孔８にロープ２が通っている。貫通孔内には沈子素材の突起３が有り、海流等によって動揺することによりロープの繊維が少しずつ損傷を受け、ロープの破断に至ることもある。
【００１５】
図１の（ｂ）は課題を解決する方法を表現したもので、貫通孔８にステンレスパイプ５を差し入れ、機械的圧力を両端部に加えることで両端を押し広げ、脱落を防止できるように装着する。ロープ２は装着されたステンレスパイプ内の平滑な面と接触するため、ロープの損耗を防ぐことができる。
【００１６】
図１の（ｃ）は（ｂ）と同様に課題を解決する方法を表現したもので、貫通孔８に予め製造しておいたシリコンゴム製のライニング管を機械的圧力で装着した形状を表している。
【００１７】
図１の（ｄ）は、（ｂ）（ｃ）と同様に課題を解決する方法を表現したもので、貫通孔８に、プラスチックや各種樹脂素材の筒状、若しくは管状のライニング材を挿入して機械的に加熱し、そしてその両端部を拡張成形することによって装着することを表している。
【００１８】
次に作用について説明する。
図１の（ｂ）、（ｃ）、（ｄ）のように、鋳鉄製、若しくは鉛以外の金属によって製造された沈子の貫通孔部に、ステンレスパイプ、樹脂成形材、シリコン成形材をライニング装着することにより、貫通ロープと接触する面の平滑度を向上させることができる。このことにより、貫通孔に通るロープの摩耗劣化を防ぐことになり、高価なロープの寿命を飛躍的に延ばすことができる。
【符号の説明】
【００１９】
１  鋳鉄製若しくは鉛製以外の金属製おもり部材
２  網を使用する際の繊維ロープ
３  貫通孔内の突起物
４  ロープの損傷
５  ステンレスパイプのライニング材
６  シリコンゴムのライニング材
７  プラスチック若しくは樹脂製のライニング材
８  貫通孔
９  鋳鉄おもりの酸化被膜面、若しくはホーロー被膜面
【図１】
0003158941.tif 000003
(57)【要約】【課題】    真夏の炎天下で運搬しても、食器類に入れた食品の鮮度が落ちるのを防止する。【解決手段】    二輪車又は三輪車の後部に装着する出前用食器類運搬機の上下移動するフレーム▲Ｆ▼に取り付けられ、前記出前用食器類が運搬中に移動しないように押える押えるカバーであって、その押えカバーの両面のうち、少なくとも一方の面に反射断熱層▲８▼を設けたことを特徴とする食器類運搬機用食器類押えカバー。【選択図】図１
0003158980.tif 000002
【実用新案登録請求の範囲】
【請求項１】
二輪車又は三輪車の後部に装着する出前用食器類運搬機の上下移動するフレームに取り付けられ、前記出前用食器類を運搬中に移動しないように押える押えカバーであって、その押えカバーの両面のうち少なくとも一方の面に、反射断熱層を設けたことを特徴とする食器類運搬機用食器類押えカバー。
【請求項２】
二輪車又は三輪車の後部に装着する出前用食器類運搬機の上下移動するフレームに取り付けられ、前記出前用食器類を運搬中に移動しないように押える押えカバーであって、その押えカバーのうち少なくとも一方の面に、保冷層を設けたことを特徴とする食器類運搬機用食器類押えカバー。
【請求項３】
二輪車又は三輪車の後部に装着する出前用食器類運搬機の上下移動するフレームに取り付けられ、前記出前用食器類を運搬中に移動しないように押える押えカバーであって、その押えカバーを反射断熱材又は保冷剤で形成したことを特徴とする食器類運搬機用食器類押えカバー。
【考案の詳細な説明】
【技術分野】
【０００１】  本考案は、出前用食器類運搬機に載せた、寿司桶や、どんぶり物などを入れた食器類を押えて、移動しないようにする食器類押えカバーに関するものである。
【背景技術】
【０００２】    従来の食器類運搬機用食器押えカバーは、図２に示すように、二輪車又は三輪車の後部に装着する出前用食器類運搬機の上下移動するフレーム▲Ｆ▼に取り付けられ、どんぶり物などを入れた食器類が運搬中に移動しないように押える押えカバーある。このカバーは、長方形の布地▲１▼と、その幅方向両端に一定の間隔で設けた複数本の帯状バンド▲２▼と、このバンド▲２▼を丸めて設けたゴム紐▲６▼を通す筒状の穴▲５▼と、前記バンド▲２▼をフレーム▲Ｆ▼に巻き付けて止めるホック▲３▼▲４▼と、筒状の穴▲５▼とゴム紐通し▲７▼とにゴム紐▲６▼を通して布地▲１▼の幅方向に掛け渡した複数本のゴム紐▲６▼とより構成したものである（特許文献１参照）。
【先行技術文献】
【特許文献１】実用新案登録第３１０５７３０号公報
【考案の開示】
【考案が解決しようとする課題】
【０００３】  従来の食器類押えカバーは、布地▲１▼がナイロン系の厚い布地▲１▼で作られているために、真夏の炎天下では布地▲１▼が、熱くなっていた。このため、食器類に入れた食品の鮮度が落ちるという問題があった。本考案は、この問題を解決することを課題とする。
【課題を解決するための手段】
【０００４】  上記課題を解決するために、本考案が提供する食器類押えカバーは、次の（１）、（２）、及び（３）に記載のものである。【０００５】  （１）二輪車又は三輪車の後部に装着する出前用食器類運搬機の上下移動するフレーム        に取り付けられ、前記出前用食器類を運搬中に移動しないように押える押えカバ        ーであって、その押えカバーの両面のうち少なくとも一方の面に、反射断熱層を        設けたことを特徴とする食器類運搬機用食器類押えカバー。
（２）二輪車又は三輪車の後部に装着する出前用食器類運搬機の上下移動するフレーム        に取り付けられ、前記出前用食器類を運搬中に移動しないように押える押えカバ        ーであって、その押えカバーの両面のうち少なくとも一方の面に、保冷層を設け        たことを特徴とする食器類運搬機用食器類押えカバー。
（３）二輪車又は三輪車の後部に装着する出前機用食器類運搬機の上下移動するフレー        ムに取り付けられ、前記出前用食器類を運搬中に移動しないように押える押えカ        バーであって、その押えカバーを反射断熱材又は保冷材等で形成したことを特徴        とする食器類運搬機用食器類押えカバー。
【考案の効果】
【０００６】  本考案の食器類押えカバーによれば、従来の押えカバーの表面に反射断熱層又は保冷層を設けたので、又従来使用していた押えカバーそのものを反射断熱材又は保冷材で形成、真夏の炎天下にあっても、食器類の中の食品が運搬中に温められ、その鮮度が落ちるのを防止することができる。
【図面の簡単な説明】
【０００７】
【図１】実施例の食器類運搬機用食器類押えカバーの要部斜視図。
【図２】従来の食器類押えカバーの斜視図。
【符号の説明】
【０００８】１  布地
２  帯状バンド
３  ホック
４  ホック
５  筒状の穴
６  ゴム紐
７  ゴム紐通し
８  反射断熱層
Ｆ  フレーム
【考案を実施するための最良の形態】
【実施例】
【０００９】  以下、本考案の実施例を図１によって説明する。
図１は食器類押えカバーの要部斜視図であり布地▲１▼の表面に反射断熱層▲８▼を設けた例である。その他の構成は図２に示す従来の食器類押えカバーと同じである。
反射断熱層▲８▼はクロス入り三層構造の厚さ１ｍｍのシートである。このシートは、ポリエチレン層を中間層とし、その上面にアルミ層、下面に発泡ポリエチレン層の三っの層で構成されている。
上記、反射断熱層▲８▼は布地▲１▼の表、裏の両面に設けてもよいし、又、反射断熱層▲８▼にかえて保冷層を設けても良い。
保冷層は、次のように構成する。フイルム製の外袋の中に高吸水性ポリマーからなる保冷剤をいれる。ついで、保冷剤を入れた袋を冷凍室、又は冷蔵庫で冷やす。
さらに従来の食器類押えカバーそのものを反射断熱材や保冷剤で構成してもよい。
【図１】
0003158980.tif 000003
【図２】
0003158980.tif 000004
(57)【要約】      （修正有）【課題】小空間に効率的に削臭剤又は香料を放散することができる消臭剤・香料蒸気散布機を提供する。【解決手段】ファンと直結したモーター、それを駆動する乾電池とが１列に連なり、それらが作る風の流線上に薬剤を搭載する篭を設える。【選択図】図１
0003158991.tif 000002
【実用新案登録請求の範囲】
【請求項１】
電池で回転するファンにより  錠剤又は寒天状物から蒸散する二酸化塩素ガス又は香料を  散布する装置。
【考案の詳細な説明】
【技術分野】
【０００１】  本発明は  空気中に二酸化塩素又は香料の蒸気を放散させる為、電池で動くファンにより、静かな、軽量な、極めて個人的な装置を目指すものである。
【考案の開示】
【考案が解決しようとする課題】
【０００２】  従来  自分好みの環境を得るのに香を焚くか香水を撒くが主流であった。しかし悪臭は容易に除去出来ず  香料も多量では他の迷惑に成りかねない。  個室程度の空間を効果的に消臭し、又は散香する手段を考える。
【課題を解決するための手段】
【０００３】  手軽な方法として  電池で回転するファンを使い、消臭剤には安定化二酸化塩素を、香料は錠剤又は寒天に担持させて、その表面から蒸気を発するのを促す。
【考案の効果】
【０００４】  錠剤・寒天状物を使えば、容易に持ち運べて、電池ファンなら何処でも使えて、小空間を静かに、速やかに演出する事が出来る。
【考案を実施するための最良の形態】
【０００５】  ＰＶＣの筒の中へ乾電池を仕組み、その先に直流マイクロモーターとファンを付け、そのファンのカバーは中に錠剤・寒天状物を入れる形状とし、机上に立てて置けるようにする。
【図面の簡単な説明】
【０００６】
【図１】  １：乾電池        １個、  ２：モーター      １個、  ３：ファン        １個、  ４：カバー        １個、  ５：錠剤・寒天  各１個、
【図１】
0003158991.tif 000003
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
ファンと直結したモーター、それを駆動する乾電池とが１列に連なり、それらが作る風の流線上に薬剤を搭載する篭を設え、その薬剤が発する蒸気を周囲に散布することを特徴とする  消臭剤・香料蒸気散布機。
(57)【要約】      （修正有）【課題】安価な紫外線空気殺菌装置変換器具を提供する。【解決手段】スリット状で、表面に艶消し塗装加工された薄板を積層した放射制御板を有しており、殺菌灯前面に装着することが出来る。【選択図】図１
0003158993.tif 000002
【実用新案登録請求の範囲】
【請求項１】
殺菌灯に装着することで、室内空間の空気中に浮遊する細菌やウイルス類を殺菌する紫外線空気殺菌装置に変換する器具。
【考案の詳細な説明】
【技術分野】
【０００１】  本考案は、殺菌灯に取り付けて空気殺菌を行う紫外線空気殺菌装置に変換する器具に関する。
【背景技術】
【０００２】  従来、室内空間に浮遊する細菌やウイルス類を殺菌する紫外線空気殺菌装置は効果があり、病院や一部施設で使用されている。
【考案の開示】
【考案が解決しようとする課題】
【０００３】  しかし、この紫外線空気殺菌装置は高価であり、学校やオフィスなどの大空間の殺菌には数多くの装置が必要となり、普及のための低価格化が求められていた。本考案は殺菌灯を利用することで、紫外線照射装置を安価に提供する事を課題とする。
【課題を解決するための手段】
【０００４】  課題を解決する為に、紫外線空気殺菌装置と同じ波長の紫外線ランプを使用して広く安価に使用されている殺菌灯を利用し、紫外線空気殺菌装置と同様の垂直方向への紫外線の拡散を抑制する放射制御板を有する紫外線空気殺菌装置変換器具を殺菌灯に取り付けることで、紫外線空気殺菌装置と同等の装置に変換する事で課題を解決したものである。
【考案の効果】
【０００５】  よって、本考案は殺菌灯に取り付けることで、室内の人畜に紫外線被爆を生じること無く、室内空間に向けて常時紫外線を直接照射することを可能とし、従来型の紫外線空気殺菌装置と同等の紫外線分布になることを確認した。
【考案を実施するための最良の形態】
【０００６】  本考案のに係る殺菌灯を紫外線空気殺菌装置に変換する器具１０は、図１に示すスリット状で、薄板を積層した放射制御板１を有しており、表面に艶消し塗装加工する事で紫外線の反射と散乱の抑制を図っている。【０００７】  紫外線ランプ２で発生した紫外線と殺菌灯本体２０で反射した紫外線は、放射制御板１を有する紫外線空気殺菌装置変換器具１０へ入射し、積層された放射制御板１のすき間を通過して水平方向へ照射される。【０００８】  一方、放射制御板１に対して上方または下方の角度を持って向かう紫外線は、積層した隙間で減衰する。
【図面の簡単な説明】
【０００９】
【図１】紫外線空気殺菌装置変換器具を取り付けた紫外線空気殺菌装置の断面図である。
【図２】同上の装置を説明する断面図である。
【図３】同上の主要斜視図である。
【符号の説明】
【００１０】  １    放射制御板
２    紫外線ランプ
１０  紫外線空気殺菌装置変換器具
２０  殺菌灯本体
【図１】
0003158993.tif 000003
【図２】
0003158993.tif 000004
【図３】
0003158993.tif 000005
【手続補正書】
【提出日】平成22年2月9日(2010.2.9)
【手続補正１】
【補正対象書類名】実用新案登録請求の範囲
【補正対象項目名】全文
【補正方法】変更
【補正の内容】
【実用新案登録請求の範囲】
【請求項１】
スリット状で、表面に艶消し塗装加工された薄板を積層した放射制御板を有しており、殺菌灯前面に装着することが出来る紫外線空気殺菌装置変換器具。
(57)【要約】      （修正有）【課題】２分割にして、省資源を図ることができるティッシュペーパーを提供する。【解決手段】箱内部の半分の空間にティッシュペーパーを折畳んで配置し、残り半分の空間にも同様に配置することで、ティッシュペーパーの廃棄によるゴミの発生を減らすことができるように箱入りティッシュペーパーを構成する。【選択図】図３
0003158998.tif 000002
【実用新案登録請求の範囲】
【請求項１】
箱入り２分割式テッシュペーパーで、２分割にして必要面積に応じた必要分だけ引抜き使用出来るようにした箱入りテッシュペーパーである。
２分割にして従来の半量の使用量で済むものである。
【考案の詳細な説明】
【発明の詳細な説明】
【０００１】本考案は箱入り折畳んだテッシュペーパーを２分割にして、必要小面積に合わせ小量を引抜けるものに関するものである。
【０００２】従来の箱入りテッシュペーパーはどれも必ず１枚づつ引抜き、使用するものであるため不経済なものである。
【考案の概要】
【本考案が解決しようとする課題】
【０００３】従来の箱入りテッシュペーパーは、小量で済む場合でも必ず１枚づつ引抜き使用し捨てているものであり、実に不経済な場合が多いものである。必要な量だけ引抜けれるように折畳んだテッシュを２分割にして必要量分だけ引抜けるようにして課題を解決するものである。
【考案の効果】
従来の箱入りテッシュペーパーは、どれも小面積に使用する時でも必ず１枚づつ引抜くものであり、使用後は捨てるものであるため後にゴミ処理の手間は大変なものであり小量で済むものは、２分割の１枚だけ引抜けるようにして使用すればゴミの後処理の埋立て、又は焼却処理の燃料の削減に繋り、燃焼処理による排出される排熱と、地球温暖化の源因であるＣＯ２の削減にもなり、又、経済的にも多大な貢献は計り知れないものがあり、一日でも早く、世に出し、ＣＯ２の削減や経済的な地球全体の利益は計り知れないものである。参考図面、図１、図２、図３、
【０００４】知らず知らず無駄な資源の使い方してて、後にゴミとして出すもので小面積で済むものであれば小量使用で課題を解決するものであり地球的温暖化により各異状現表、は、世の終りの印であるように思はれるものがあるため地球危機を鑑み、小しでも助けになるもので貢献度は計り知れないものがある。又、大量使用により、経済の圧迫にも繋がってるものであり、家経の助けは多大なものである。
【０００５】使用量が少量であれば埋立処理や焼却量も少なくなり処理の手数も省けるものである。
【図面の簡単な説明】
【０００６】
【図１】２分割した箱内部の折畳んだペーパーと外箱、
【図２】２分割したペーパーの引抜図と外箱
【図３】２分割にしたペーパーを別々に引抜き全体図と斜視図、
【符号の説明】１、２分にして折畳んだペーパー
２、外箱、
３、ペーパーを別々に引抜いたペーパー
【図１】
0003158998.tif 000003
【図２】
0003158998.tif 000004
【図３】
0003158998.tif 000005
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
箱内部の半分の空間にテッシュペーパーを折畳んで配置し、残り半分の空間に同様に配置した箱入りテッシュペーパー。
(57)【要約】      （修正有）【課題】服が傷まず着脱が容易で安全な名札などの留め具を提供する。【解決手段】服などの布に名札などを留める為の留め具であって、布の一方の面には、金属、樹脂などで出来た板２を配し、他方の面に配した、一方の面の板２よりも小さな穴のあるリング状のゴムなどの伸縮性のある素材で出来た輪１により、対象物である布を、一方の面の板２とともに他方の面の輪１の中に通す事により、布の面に板２、及び輪１を留め置く事が出来、また、輪１の表面もしくは、外周に設けた穴に安全ピン、紐、チェーンなどを介し名札３などを取り付けることの出来る様にして服に穴のあかない名札などの留め具とする。【選択図】図３
0003158983.tif 000002
【実用新案登録請求の範囲】
【請求項１】
服などの布に名札などを留める為の留め具であって、布の一方の面には、金属、樹脂などで出来た板を配し、他方の面に配した、一方の面の板よりも小さな穴のあるリング状のゴムなどの伸縮性のある素材で出来た輪により、対象物である布を、一方の面の板とともに他方の面の輪の中に通す事により、布の面に板、及び輪を留め置く事が出来ることを特徴とする服に穴のあかない名札などの留め具。
【考案の詳細な説明】
【技術分野】
【０００１】  本考案は穴を開けずに名札などを服などに留める為の留め具に関する。
【背景技術】
【０００２】  従来、学童などの名札は、安全ピンなどにより服に留められている為、服に穴があいてしまう。【０００３】  また、針を使用しているため、低年齢の学童にとっては、危険なものとなっている。【０００４】  この問題を解決するために、提案されたものとしては、シート状物の一方のシート面側に配置され且つ係止部を備えた第１係止部材と、他方のシート面側に配置され且つ係止突起を備えた第２係止部材から構成され、第１係止部材の係止部と第２係止部材の係止突起とを係脱自在にするとともに、シート状物を挟み込んだ状態で第１係止部材の係止部と第２係止部材の係止突起とを係合させることによりシート状物に係止されるようにしたもの（例えば、特許文献１参照。）がある。
【特許文献１】特開２００６−２３０７２８
【考案の開示】
【考案が解決しようとする課題】
【０００５】  しかしながら、特許文献１に示された提案では、学童が転んだ場合などに係止部材が胸などにあたり危険である。【０００６】  また、低年齢者にとっては、着脱が容易とは、言い難い。【０００７】  本考案は、斯かる実情に鑑み、服を傷めず、転んだ場合でも安全であり、低年齢者にとっても、着脱が容易な、服に穴のあかない名札などの留め具を提供しようとするものである。
【課題を解決するための手段】
【０００８】  本考案は、布の一方の面には、金属、樹脂などで出来た板を配し、他方の面に配した、一方の面の板よりも小さな穴のあるリング状のゴムなどの伸縮性のある素材で出来た輪により、対象物である布を、一方の面の板とともに他方の面の輪の中に通す事により、布の面に板、及び輪を留め置く事が出来るようにした。  上記手段によれば、以下のような作用が得られる。
【考案の効果】
【０００９】  ピンなどにより服に穴を開けることなく、名札などを留めることができる。【００１０】  強い力で引っ張られたときには、容易に外れ服が破れるようなこともない。【００１１】  転んだ場合などでも、出っ張りがない為、安全である。【００１２】  板を服の布地ごとゴム輪に通すだけなので、低年齢者にとっても着脱が容易である。
【考案を実施するための最良の形態】
【００１３】  以下、本考案の実施の形態を添付図面を参照して説明する。【００１４】  図１は実際に布地を板とともに輪の中に通した状態であり、また、輪には、穴を設け名札などを取付けてある。【００１５】  図２は、図１を裏から見た状態であり突起物がないため安全を確保できる。【００１６】  図３、板の紛失防止のため、輪の内側に溝を設け、使用しないときに、板を保持しておくことも出来る。【００１７】  輪を裏面に使用し、板を表面としそのまま文字、絵などを書いて名札、校章、バッチなどとしての使い方も出来る。【００１８】  輪を裏面に使用し、板の表面もしくは側面に取付具を配し名札などを取り付けることもできる。【００１９】  尚、本考案の服に穴のあかない名札などの留め具は、上記した実施の形態に限定されるものではなく、本考案の要旨を逸脱しない範囲内において種々変更を加え得ることは勿論である。
【産業上の利用可能性】
【００２０】  本考案の留め具は、服が傷まない為、学校などの名札を留める為だけでなく、衣類商品の正札の取付、衣類商品へのバッチの取付などにも利用できる。
【図面の簡単な説明】
【００２１】
【図１】実施状態の表側斜視図
【図２】実施状態の裏側斜視図
【図３】斜視図
【図４】分解図
【符号の説明】
【００２２】  １…輪、２…板、３…名札。
【図１】
0003158983.tif 000003
【図２】
0003158983.tif 000004
【図３】
0003158983.tif 000005
【図４】
0003158983.tif 000006
【手続補正書】
【提出日】平成21年12月14日(2009.12.14)
【手続補正１】
【補正対象書類名】実用新案登録請求の範囲
【補正対象項目名】全文
【補正方法】変更
【補正の内容】
【実用新案登録請求の範囲】
【請求項１】
服などの布に名札などを留める為の留め具であって、布の一方の面には、金属、樹脂などで出来た板２を配し、他方の面に配した、一方の面の板２よりも小さな穴のあるリング状のゴムなどの伸縮性のある素材で出来た輪１により、対象物である布を、一方の面の板２とともに他方の面の輪１の中に通す事により、布の面に板２、及び輪１を留め置く事が出来、また、輪１の表面もしくは、外周に設けた穴に安全ピン、紐、チェーンなどを介し名札３などを取り付けることの出来ることを特徴とする服に穴のあかない名札などの留め具。
【手続補正２】
【補正対象書類名】図面
【補正対象項目名】図１
【補正方法】変更
【補正の内容】
【図１】
0003158983.tif 000007
【手続補正３】
【補正対象書類名】図面
【補正対象項目名】図３
【補正方法】変更
【補正の内容】
【図３】
0003158983.tif 000008
【手続補正４】
【補正対象書類名】図面
【補正対象項目名】図４
【補正方法】変更
【補正の内容】
【図４】
0003158983.tif 000009
(57)【要約】      （修正有）【課題】糸を絡みにくくし糸の抵抗を少なくする竿を提供する。【解決手段】ガイド付き釣竿の任意箇所に中通し用ガイドを付け中通しにする。竿先の糸絡みのわずらわしさを減らし糸の出をよくし、快適な釣りが出来る。糸を絡みにくくし、糸の抵抗を少なくすることを目的とするものである。【選択図】図１
0003158990.tif 000002
【実用新案登録請求の範囲】
【請求項１】
ガイド付き釣竿の任意箇所に中通し用ガイドを付け中通しにする竿。
【考案の詳細な説明】
【技術分野】釣竿に関するものである。
【背景技術】のべ竿、中通し竿、ガイド付き竿が従来の技術として知られている。
【考案の概要】
【考案が解決しようとする課題】
【０００１】糸を絡みにくくし、糸の抵抗を少なくすることを目的とするものである。
【課題を解決するための手段】
【０００２】ガイド付き釣竿の任意箇所に中通し用ガイドを付け中通しにする。
【考案の効果】
【０００３】本考案は竿先の糸絡みのわずらわしさを減らし糸の出をよくし、快適な釣りが出来る。
【図面の簡単な説明】
【０００４】
【図１】両軸受けリールを使用した竿の実施例
【図２】スピニングリールを使用した竿の実施例
【実施例】
【０００５】ガイド付き釣竿の任意箇所に中通し用ガイドを付け中通しにする。
【図１】
0003158990.tif 000003
【図２】
0003158990.tif 000004
【手続補正書】
【提出日】平成22年2月6日(2010.2.6)
【手続補正１】
【補正対象書類名】実用新案登録請求の範囲
【補正対象項目名】全文
【補正方法】変更
【補正の内容】
【実用新案登録請求の範囲】
【請求項１】
ガイド付き釣り竿の、竿自体の任意箇所に中通し用ガイドを着けリールから出てガイドを通った糸を、中通し用ガイドから竿管内に導入し、竿トップから導出できる竿。
(57)【要約】      （修正有）【課題】作業者の安全を確保し、又、ネットを掛けるといった準備段階の作業を大幅に短縮でき、作業効率アップに繋がるネット掛け棒を提供する。【解決手段】安全簡単ネット掛け棒は、フックを鉄の棒に溶接したもので、これを使ってネットを横架材に掛ける。フックはネットの重みで曲がらない様にし、傾斜を持たせる事でネットのずれ落ちを防ぐ。又、鉄棒の表面の凹凸が手からの滑り落ちを防ぐ効果もある。又、片手での作業に対応すべく７００ｇと軽量。鉄棒の棒を逆につぶす事で、横架材ネット取付金具の補正も脚立を使わず容易にできる。複数人での高所作業に関しても、ネット受け渡しの補助的役割も果たし、大幅な作業時間短縮に繋がり、作業の効率をよくするものある。建設現場以外でも役立つものである。【選択図】図１
0003158984.tif 000002
【実用新案登録請求の範囲】
【請求項１】
鉄の棒、異形鉄筋Ｄ１０の先端に、強度を考慮した鉄材ＫＬＳ３７Ｂを使ったフックを溶接する事で、脚立等の足場を使わずに高所へ転落防止ネットを掛ける事ができる。又、異形鉄筋Ｄ１０の逆先端部分をつぶし曲げる事で、高所にある横架材ネット留め金具を正位置へ補正する事ができる。適度な長さ、握り部分の滑り止め、強度と軽さを考えた安全簡単ネット掛け棒。
【考案の詳細な説明】
【技術分野】
【０００１】  本案は、建設現場において、建前作業時の高所落下防止ネット掛けの為の鉄棒フッックである。
【背景技術】
【０００２】  建設現場での建前作業時、安全管理の為、高所落下防止ネット掛け作業を行っているが、現在の作業状況は、脚立などの足場を使い不安定な中直接手でネットを掛ける作業を行っていた。
【先行技術文献】
【特許文献】
【０００３】
【特許文献１】
【非特許文献】
【０００４】
【非特許文献１】
【考案の概要】
【考案が解決しようとする課題】
【０００５】  今日の建設現場においては安全管理の為、高所作業に伴い転落防止ネットを張る。高所に立ち、又は、脚立に上り不安定な中、数名の手でネットを掛ける作業を行っている。安全管理とは言え、高所へネットを掛ける作業は危険で作業の負担も大きい。又、ネットを掛ける為の横架材のネット留め金具の位置を補正する為、脚立等を使い上り下りの手間が生じている。
【課題を解決するための手段】
【０００６】  本考案、安全簡単ネット掛け棒は、鉄棒にフックを取り付けネットを横架材に掛ける為のものである。フックにＫＬＳ３７Ｂを使う事で、ネットの重みで曲がらない様にした。そして、フックに傾斜をもたせる事でネットのずり落ちを防ぐ。又、鉄の棒を異形鉄筋Ｄ１０を使う事により、表面の凹凸が手からすべり落ちる事を防ぐ効果をもっている。又、片手での作業を可能にする為に軽さにも配慮し７００ｇと軽量にした。そして、安全簡単ネット掛け棒の逆のつぶしたフック部分を使う事で、横架材ネット留め金具の位置補正作業を脚立等を使うことなくできる。よって、この安全簡単ネット掛け棒を使う事により、脚立へ上る事もなく、又、脚立の持ち運ぶ労力もなくなる。又、高所での作業に関しては、安全簡単ネット掛け棒を片手で持つ事でバランスを保ちネットを受け渡す際の補助的な役割も果たす。これにより大幅な作業時間の短縮に繋がり現場の作業効率を良くするものである。
【考案の効果】
【０００７】  上記の様に、この安全簡単ネット掛け棒を使う事により、作業者の安全を確保し、又、ネットを掛けるといった準備段階の作業を大幅に短縮でき、作業効率アップに繋がる。そして、建設現場に留まらす、土木現場等の高所落下防止ネット張りが必要な現場での作業に役立つ。
【図面の簡単な説明】
【０００８】
【図１】本考案の安全簡単ネット掛け棒の全体図
【図２】安全簡単ネット掛けのフック部分  上からの図
【考案を実施するための形態】
【０００９】  安全簡単ネット掛け棒のフック部分にネットをつけ、ネットを掛ける横架材の留め金具へネットを掛ける。その横架材の留め金具が正位置にない場合、本考案の安全簡単ネット掛け棒の逆側、鉄の棒をつぶしたフック部分を使い、留め金具を正位置へ補正する事ができる。転落防止ネット掛け、留め金具補正、どちらの作業においても脚立等の足場を使用せずに片手での作業を可能にする。又、複数人での高所作業に関してもネット受け渡しの補助的役割も果たす。
【符号の説明】
【００１０】  １  ネット掛けフック  ＫＬＳ３７Ｂ  使用
２  横架材ネット留め金具補正用フック
３  持ち手部分  異形鉄筋Ｄ１０使用
【図１】
0003158984.tif 000003
【図２】
0003158984.tif 000004
【手続補正書】
【提出日】平成21年11月18日(2009.11.18)
【手続補正１】
【補正対象書類名】実用新案登録請求の範囲
【補正対象項目名】全文
【補正方法】変更
【補正の内容】
【実用新案登録請求の範囲】
【請求項１】
この安全簡単ネット掛け棒は、鉄の棒、異形鉄筋Ｄ１０を用い、その先端に鉄材ＫＬＳ３７Ｂを使ったフックを傾斜をつけて溶接し、逆先端部分をつぶし曲げているものである
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
安全簡単ネット掛け棒として異形鉄筋Ｄ１０を用い、異形鉄筋Ｄ１０の先端に鉄材ＫＬＳ３７Ｂを使ったフックを傾斜をもたせて溶接し、異形鉄筋Ｄ１０の逆先端部分をつぶし曲げたことを特徴とする安全簡単ネット掛け棒
(57)【要約】      （修正有）【課題】膝に負担をかけることなく、正座をし易いクッションを提供する。【解決手段】このクッションは  臀部から大腿部にかけて挟み込む体勢で使用するものであり、形をフットボール様、素材を低反発のウレタンにすることで体型に馴染むかたちのものになり、クッションに高さが出来ることによって膝にかかる負担を少なくし正座が出来るものである。【選択図】図１
0003158989.tif 000002
【実用新案登録請求の範囲】
【考案の詳細な説明】
【技術分野】
【０００１】  この考案は  人が正座及び足を伸ばして座る時に使用するクッションの形状に関する。
【背景技術】
【０００２】  従来のクッションは  臀部に敷く形がほとんどである。
【考案の概要】
【考案が解決しようとする課題】
【０００３】  しかしながら、以上の技術によれば、正座はしにくく膝に負担がかかりやすい。日本の文化において正座は欠くことのできない姿勢であるが、膝に障害のある人にとっては辛い姿勢でもある。冠婚葬祭  椅子の用意されていない集会  主婦においては洗濯物の整理などなど正座は生活のあらゆるところで必要である。そこで  この考案は膝に負担をかけにくく  正座をし易いクッションを提供することを課題とする。
【課題を解決するための手段】
【０００４】  以上の課題を解決するために、第一考案は臀部から大腿部にかけて  体で挟み込む形を特徴とするクッションである。また第二考案はその形をフットボール形状にすることにより  クッションの前後を気にすることなく  更に姿勢に沿い易くなる。第三考案として  素材を低反発のウレタンを使用することにより個人の体型に  よりあい易くなり床と臀部の高さが自然に調節することができ  より膝負担軽減となるクッションである。
【考案の効果】
【０００５】  第一考案から第三考案によれば  既存の足を折り曲げる正座をとりにくいクッションの難点をなくし  高さが出来ることによって  膝に負担がかかりにくいクッションになる。
【図面の簡単な説明】
【図１】この考案の形態を横からみた図である。［０００６］全景はフットボール様形である。［０００７］Ａは最高値の周囲の長さとしておおむね５０ｃｍ前後  Ｂは全長としておおむね４５ｃｍ前後である。
【図２】考案のクッションを使用し正座をしたとき  背後から見た図である。［０００８］Ｃはクッション本体であり  低反発素材であることによって体型に自然と合いながらもっとも楽な姿勢が保たれる。
【図３】考案のクッションを使用し正座をしたとき  左横から見た図である。［０００９］Ｄがクッションであり  大腿部からおりまげた足によっ  挟み込んでいるため、外部からは見えていない。
【符号の説明】
【００１０】１    クッションの全長    Ｂ
２    クッションの周囲    Ａ
３    クッション本体      Ｃ  Ｄ
【図１】
0003158989.tif 000003
【図２】
0003158989.tif 000004
【図３】
0003158989.tif 000005
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
臀部から大腿部にかけて挟み込む形を特徴とするクッションである。
【請求項２】
形状をフットボール型とし正座の姿勢にフィットすることを特徴としたクッションである。
【請求項３】
低反発のウレタンを素材としより体にフィットすることを特徴としたクッションである。
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
形状をフットボール様型とし正座姿勢にフィットすることを特徴とするクッション。
【請求項２】
臀部から大腿部にかけて挟み込んで使用することを特徴とする請求項１記載のクッション。
【請求項３】
低反発ウレタンを素材とすることを特徴とする請求項１記載のクッション。
(57)【要約】      （修正有）【課題】通話中に両手が使える携帯電話を提供する。【解決手段】開閉軸６を軸として開閉される携帯電話であって、携帯電話を耳に吊り下げるために、携帯電話本体に取り付けられたハンガーハンド１と、ハンガーハンド１を耳に吊り下げる角度にセットするために開閉軸６に設けられた押しボタン２を有する。【選択図】図１
0003158981.tif 000002
【実用新案登録請求の範囲】
【請求項１】
現在、使用されている携帯電話本体にハンガーハンド（１）を取り付け、開閉軸（６）に設けた押しボタン（２）により、ハンガーハンドを耳に吊り下げる角度にセットする。
【考案の詳細な説明】
【技術分野】
【０００１】  この発明は、通話中に両手が使えるよう携帯電話本体にハンガーハンドを取り付けることである。
【背景技術】
【０００２】  固定電話は体の肩と首を使って受話器を固定することができ、通話中に両手が使える。
携帯電話は小型のため体の一部を使用しても固定は困難である。
【考案の概要】
【考案が解決しようとする課題】
【０００３】  これには次のような欠点があった。
携帯電話は小型のため体の一部を使用しても固定は困難であった。
ハンガーハンドを携帯電話本体に取り付けることにより、両手が使えるよう考案したものである。
【課題を解決する手段】
【０００４】  携帯本体にハンガーバー（１）を設け、耳に引っ掛けることにより、両手の使用が可能である。
【考案の効果】
【０００５】  手が使えて必要のないときは、従来の使用方法と同様であり、使用するのに何ら差し支えがない。
【図面の簡単な説明】
【０００６】
【図１】ハンガーハンド収納時斜視図
【図２】ハンガーハンド使用時斜視図
【図３】ハンガーハンド正面図
【図４】ハンガーハンド軸側面図
【考案を実施するための形態】
【０００７】  携帯電話本体にハンガーハンド（１）を取り付け、開閉軸（６）に設けた押しボタン（２）により、ハンガーハンドを耳に吊り下げる角度にセットする。
【産業上の利用可能性】
【０００８】  従来の開閉式携帯電話を基盤としており、改造工程の変更が少ない。
また、形状・使用方法も従来と同様であり、使用に当たっては何ら差し支えがないこと。
【符号の説明】
【０００９】  １  ハンガーハンド
２  押しボタン
３  コイルスプリング
４  開放スプリング
５  ストッパー
６  開閉軸
７  開放止め
【図１】
0003158981.tif 000003
【図２】
0003158981.tif 000004
【図３】
0003158981.tif 000005
【図４】
0003158981.tif 000006
【手続補正書】
【提出日】平成21年9月14日(2009.9.14)
【手続補正１】
【補正対象書類名】実用新案登録請求の範囲
【補正対象項目名】全文
【補正方法】変更
【補正の内容】
【実用新案登録請求の範囲】
【請求項１】
現在、使用されている携帯電話本体にハンガーハンド（１）を取り付け、開閉軸（６）に設けた押しボタン（２）により、ハンガーハンドを耳に吊り下げる角度にセットできる携帯電話。
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
携帯電話を手で持たないで通話ができる、ハンガーハンド付き携帯電話。
携帯電話の開閉軸（６）にハンガーハンド（１）を取り付け、開閉軸に設けた押しボタン（２）により、ハンガーハンドを耳に吊り下げる角度にセットすることにより、両手が使用できる。
【手続補正書】
【提出日】平成22年2月1日(2010.2.1)
【手続補正１】
【補正対象書類名】実用新案登録請求の範囲
【補正対象項目名】全文
【補正方法】変更
【補正の内容】
【実用新案登録請求の範囲】
【請求項１】
開閉軸（６）を軸として開閉される携帯電話であって、前記携帯電話を耳に吊り下げるために、前記携帯電話本体に取り付けられたハンガーハンド（１）と、前記ハンガーハンド（１）を耳に吊り下げる角度にセットするための押しボタン（２）であって、前記開閉軸（６）に設けられた前記押しボタン（２）を有する前記携帯電話。
【手続補正２】
【補正対象書類名】明細書
【補正対象項目名】０００４
【補正方法】変更
【補正の内容】
【０００４】  携帯電話本体にハンガーハンド（１）を設け、耳に引っ掛けることにより、両手の使用が可能である。